(57)【特許請求の範囲】
【請求項１】
来訪者が居住者を呼び出して通話するための集合玄関機と、前記居住者が前記集合玄関機からの呼び出しに応答して前記来訪者と通話するための居室親機と、前記集合玄関機及び前記居室親機をそれぞれ制御するための制御装置と、から構成される集合住宅用インターホンシステムであって、
前記制御装置は、集合住宅の共用部の予約状況として少なくとも居住者の居室親機を特定するための居室ＩＤ情報が記憶される予約記憶部を備え、当該制御装置に接続され、前記共用部に設置された共用部子機から呼び出し操作されたとき、前記予約記憶部の予約状況を参照して、次の予約者の前記居室親機に通知するために前記居室ＩＤを付加した通知信号を当該居室親機に送信する制御をおこなう制御装置ＣＰＵを備え、
前記共用部子機は、前記通知された居室親機に対してメッセージを残すためのマイクを備え、
前記居室親機は、前記メッセージを確認するための操作部を備えたことを特徴とする集合住宅用インターホンシステム。
【請求項２】
前記居室親機は、前記通知信号を受信したとき、前の共用部使用者が使用を終了したことを通知するためにモニタ、ＬＥＤ又はスピーカ等の報知部で終了通知の制御をおこなう居室親機ＣＰＵを備えたことを特徴とする請求項１記載の集合住宅用インターホンシステム。
【請求項３】
前記予約記憶部の予約情報には、複数の居室ＩＤを登録可能であって、前記制御装置ＣＰＵは、前記通知信号を受信したとき、予約情報に記憶された居室ＩＤ全てに前の共用部使用者が使用を終了したことを通知する制御をおこなうものであることを特徴とする請求項１又は請求項２記載の集合住宅インターホンシステム。
【請求項４】
前記制御装置は、時間を計時する計時部を有し、前記予約記憶部には使用時間情報が記憶され、前記制御装置ＣＰＵは、前記予約記憶部に記憶された使用時間情報のうち終了時刻または終了時刻から所定時間前となったとき、前記共用部子機のモニタ、ＬＥＤ又はスピーカ等の報知部で使用終了時刻となったことを通知する終了信号を送信するための制御をおこなうものであることを特徴とする請求項１乃至請求項３何れか１項記載の集合住宅インターホンシステム。
【発明の詳細な説明】
【技術分野】
【０００１】
本発明は、集合住宅用インターホンシステムに係わり、特に集合住宅共用部に設置の共用部子機から、次の共用部予約者の居室親機へ通知を行う機能を備える集合住宅用インターホンシステムに関する。
【背景技術】
【０００２】
従来のこのような集合住宅用インターホンシステムは、共用部の使用スケジュールを居室親機で登録し、登録されたスケジュールに従い共用部の使用を行うというものであった。これにより、居住者は管理人等への連絡なしに共用部予約をおこなうことができるので便利であった。
【先行技術文献】
【特許文献】
【０００３】
特開２００７−１３３６４６号公報
【発明の開示】
【発明が解決しようとする課題】
【０００４】
しかしながら、従来例の集合住宅用インターホンシステムにおいて、集合住宅の共用部の使用者が使用を終了した場合に次の予約者に使用完了を知らせる術がなく、次の予約者はスケジュールに従い使用をするしかなかった。これにより、共用部の有効活用を図れないという問題があった。
【０００５】
本発明は、上記問題を解決するためになされたものであって、集合住宅共用部に共用部子機を備え、共用部子機からの呼び出しで予約者の情報が記憶された情報に基づいて、次の予約者の居室親機へ通知して共用部の利用を円滑におこなうことができる集合住宅インターホンシステムを提供することを目的とする。
【課題を解決するための手段】
【０００６】
上述の目的を達成するため、本発明の第１の態様である集合住宅インターホンシステムは、来訪者が居住者を呼び出して通話するための集合玄関機と、居住者が集合玄関機からの呼び出しに応答して来訪者と通話するための居室親機と、集合玄関機及び居室親機をそれぞれ制御するための制御装置と、から構成される集合住宅用インターホンシステムであって、制御装置は、集合住宅の共用部の予約状況として少なくとも居住者の居室親機を特定するための居室ＩＤ情報が記憶される予約記憶部を備え、共用部に設置され、当該制御装置に接続される共用部子機から呼び出し操作されたとき、予約記憶部の予約状況を参照して、次の予約者の居室親機に通知するために居室ＩＤを付加した通知信号を当該居室親機に送信する制御をおこなう制御装置ＣＰＵを備えたことを特徴とする。
【０００７】
また、本発明の第２の態様である集合住宅インターホンシステムは、請求項１において、居室親機は、通知信号を受信したとき、前の共用部使用者が使用を終了したことを通知するためにモニタ、ＬＥＤ又はスピーカ等の報知部で終了通知の制御をおこなう居室親機ＣＰＵを備えたことを特徴とする。
【０００８】
また、本発明の第３の態様である集合住宅インターホンシステムは、請求項１又は請求項２において、予約記憶部の予約情報には、複数の居室ＩＤを登録可能であって、制御装置ＣＰＵは、通知信号を受信したとき、予約情報に記憶された居室ＩＤ全てに前の共用部使用者が使用を終了したことを通知する制御をおこなうものであることを特徴とする。
【０００９】
更に、本発明の第４の態様である集合住宅インターホンシステムは、請求項１乃至請求項３何れかにおいて、制御装置は、時間を計時する計時部を有し、予約記憶部には使用時間情報が記憶され、制御装置ＣＰＵは、予約記憶部に記憶された使用時間情報のうち終了時刻または終了時刻から所定時間前となったとき、共用部子機のモニタ、ＬＥＤ又はスピーカ等の報知部で使用終了時刻となったことを通知する終了信号を送信するための制御をおこなうものであることを特徴とする。
【発明の効果】
【００１０】
請求項１の発明によれば、共用部の使用を終了したことを共用部子機の操作をするだけで、居室の特定をすることなく次の使用者へ終了した旨の報告（通知）をおこなうことができる。
請求項２の発明によれば、次の使用者に対しては、モニタでの表示やＬＥＤ表示、または自動音声メッセージ等で知らせることができるので、前の使用者と通話することなく、使用終了を知ることができる。
請求項３の発明によれば、登録されている全ての居室親機に対して通知することができるので、責任者が気づかない場合であっても他の人が確認することができるし、別途、全ての使用者に対して集合の連絡をする必要がなくなるため便利である。
請求項４の発明によれば、現在使用している人が使用終了の時刻に気づかない場合であっても、自動的に共用部子機から知らせることができるので、後に使用する人に迷惑をかけることがなくなる。
【図面の簡単な説明】
【００１１】
【図１】本発明の実施例による集合住宅インターホンシステムのブロック図である。
【発明を実施するための最良の形態】
【００１２】
以下、本発明の集合住宅用インターホンシステムを適用した最良の実施の形態例について、図面を参照して説明する。
図１は、本発明の集合住宅用インターホンシステムの構成を示すブロック図である。
本発明は、図１に示す通り、各居室に設置され来訪者と通話するための居室親機１０と、来訪者が居住者を呼び出すために操作し、居室親機１０と通話するための集合玄関機２０と、集会室や電気自動車充電装置等の共用部に設置され、共用部の使用者が操作するための共用部子機４０と、居室親機１０、集合玄関機２０及び共用部子機４０をそれぞれ制御する制御装置３０から構成されている。
【００１３】
居室親機１０は、居住者が居室親機を操作するための操作部１１と、玄関やエントランスなどの映像を表示するための表示部１２と、他の場所との音声通話時などに音声を入力および出力するためのマイク１３およびスピーカ１４と、制御装置３０との通信を行うための通信回路１５と、制御装置３０との間で音声信号を送受信するための音声回路１６と、居室親機全体の制御を行うための居室親機ＣＰＵ１７とを有する。
制御装置３０は、居室親機１０との通信を行なうための通信回路３１と、集合玄関機２０と共用部子機４０との通信を行なうための通信回路３３と、居室親機１０との間で音声信号を送受信するための音声回路３４と、集合玄関機２０と共用部子機４０との間で音声信号を送受信するための音声映像回路３５と、制御装置全体の制御を行うための制御装置ＣＰＵ３７と、共用部の予約状況を記憶する予約記憶部３８、時刻を計時する計時部３９とを有する。
【００１４】
共用部子機４０は、共用部使用完了者が次の共用部使用者に対して呼出または通知を行うための操作部４１と、音声通話時に音声を入力および出力するためのマイク４３およびスピーカ４４と、制御装置３０との通信を行うための通信回路４５と、制御装置３０に対して音声信号を送受信するための音声回路４６と、共用部子機全体の制御を行うための子機ＣＰＵ４７とを有する。
なお、制御装置３０の予約記憶部３８には、予め共用部の予約状況として、少なくとも居住者の居室親機を特定するための居室ＩＤ情報が記憶され、更に予約時間、予約者名等が記憶されていてもよい。この予約は、各居室親機の操作部１１及び表示部１２を用いておこなうことができるものであり、予約をおこなった居室親機１０だけでなく、他の居室親機（部屋番号）等の情報を入力することができ、一つの予約に対して、複数の居室ＩＤを登録することができるものである。
【００１５】
次に、このような集合住宅用インターホンシステムにおいて動作を説明する。
ここで、来訪者が集合玄関機２０を操作して居住者を呼び出し、居室親機１０のスピーカ１４からの呼出音報知及び表示部１２における来訪者の映像を確認して通話する点については従来と同様であるため説明を省略し、ここでは、共用部を予約して使用することについて詳述する。
まず、上述のように、使用者は居室親機１０の操作部１１及び表示部１２を用いて、共用部の使用予約をおこなう。これによって、施設予約がおこなわれ、使用者は予約した時間帯の使用許可を得ることができる。
【００１６】
この使用時間帯情報は、制御装置３０の予約記憶部３８に記憶されて、制御装置３０の計時部３９により、使用終了時刻又は終了時刻から所定時間前となったとき、共用部子機４０に対して、終了時刻となった旨若しくは間もなく終了時刻である旨の通知をおこなうために終了信号を生成し、通信回路３３を介して送信する。共用部子機４０では、通信回路４５を介して子機ＣＰＵ４７で当該終了信号を受信し、子機ＣＰＵ４７の制御によりスピーカ４４等の報知部で使用終了時刻となったことを通知する。これを確認した使用者は、共用部利用を終了し、共用部子機４０の操作部４１を操作する。例えば、終了通知ボタン等を操作すると、これを検出した子機ＣＰＵ４７は、通知信号を生成して、終了信号と逆の経路で制御装置３０に送信する。
【００１７】
制御装置３０は、制御装置ＣＰＵ３７でこれを検出し、予約記憶部３８を参照して次の使用者を特定する。そして、次の使用者の居室ＩＤ情報を読み出して通知信号に付加して対象の居室親機１０へ通知する。この通知信号は通信回路３１を介して居室親機１０に送信され、居室親機１０では、通信回路１５を介して居室親機ＣＰＵ１７で当該通知信号を受信する。居室親機ＣＰＵ１７は、前の共用部使用者が使用を終了したことを通知するためにスピーカ１４から通知音を鳴動させると共に、モニタ１２において「共用部を使用することができます」等のメッセージを表示させる制御をおこなう。これにより、次の使用者である居住者は、共用部を速やかに使用することができる。また、予約記憶部３８に、使用者情報として居室ＩＤが複数記憶されている場合には、全ての居室ＩＤを対象に上記通知信号を送出し、各居室親機１０において通知音の鳴動及びモニタでのメッセージ表示をおこなうこともできる。これにより、予約した責任者が気づかない場合であっても他の人が確認することができるし、別途、全ての使用者に対して集合の連絡をする必要がなくなるため便利である。
【００１８】
ここで、上記の「次の使用者の特定」については、終了通知ボタンを操作するごとに次の使用者の居室ＩＤ情報を読み出すように制御する方法、現在の時刻から次の使用者の居室ＩＤ情報を読み出す方法、共用部子機に別途モニタを設け、当該モニタに制御装置３０の予約記憶部３８に記憶された予約情報を表示させて、操作部４１にて次の使用者を選択して居室ＩＤ情報を読み出す方法が考えられる。
【００１９】
なお、共用部子機４０には、マイク４３及びスピーカ４４を備えているので、前の使用者が次の使用者に対して終了通知した際に、通話することも可能であり、例えば、「片付けに５分程度係りそうだ」といったやりとりを直接おこなうことができる。また、前の使用者が一方的にマイク４３を用いてメッセージを残すことも可能であり、次の使用者は居室親機１０の操作部１１を操作することにより、前の人のメッセージを確認することもできる。
さらに、居室親機１０は、共用部子機４０を呼び出すことも可能であり、使用状況を次の使用者側から確認することもできる。この場合には、共用部子機４０で呼出音が鳴動し、操作部４１で応答操作することで居室親機１０との通話路が形成されて通話することができる。
【符号の説明】
【００２０】
１０・・・             居室親機
１１・・・           操作部
１２・・・           表示部
１３・・・           マイク
１４・・・           スピーカ
１６・・・           音声回路
１７・・・           居室親機ＣＰＵ
２０・・・             集合玄関機
３０・・・             制御装置
３７・・・           制御装置ＣＰＵ
４０・・・             共用部子機
４１・・・           操作部
４３・・・           マイク
４４・・・           スピーカ
４６・・・           音声回路
４７・・・         子機ＣＰＵ
【図１】
0005687923.tif 000002